(57)【要約】【課題】  メーカーでの複数の歯間ブラシの包装作業が容易になり、ケースを携帯用ケースとして用いることもできてユーザーの使い勝手も良くなる歯間ブラシ収納パッケージを提供する。【解決手段】  合成樹脂からなる偏平状のケース本体１１の一端にヒンジ部１３を介して偏平状のカバー１２を一体形成してケース１を構成し、互いに並列に配された複数の歯間ブラシ５における合成樹脂製の各柄部５２をそれぞれ連設用フレーム片６に切り離し可能に連結してなる歯間ブラシ連設成形体２を前記ケース１内に収容し、前記ケース１内に使用中の歯間ブラシ５を保管するためのホルダ部３を設ける。【選択図】        図１
2007209567.tif 000002
【特許請求の範囲】
【請求項１】
合成樹脂からなる偏平状のケース本体、ならびにこのケース本体の一端にヒンジ部を介して一体形成されて該ケース本体の開口を開閉可能に覆う偏平状のカバーとからなるケースと、
互いに並列に配された複数の歯間ブラシにおける各合成樹脂製柄部を連設用フレーム片に切り離し可能に連結して構成されて、前記ケース内に収容された歯間ブラシ連設成形体と、
前記ケース内に形成されて、使用中の歯間ブラシを保管するためのホルダ部と、
を備えていることを特徴とする歯間ブラシ収納パッケージ。
【請求項２】
前記歯間ブラシ連設成形体が前記ケースとは別体成形されており、
前記連設用フレーム片を前記ケース本体に対して結合手段を介して取り付けることにより、歯間ブラシ連設成形体がケース本体内に収容されている請求項１に記載の歯間ブラシ収納パッケージ。
【請求項３】
前記歯間ブラシ連設成形体における連設用フレーム片が前記ケース本体に対してヒンジ部を介して一体形成されており、
前記歯間ブラシ連設成形体は、前記ヒンジ部を折り曲げた状態で、前記ケース本体内に収容されている請求項１に記載の歯間ブラシ収納パッケージ。
【発明の詳細な説明】
【技術分野】
【０００１】
この発明は、歯の隙間などを清掃するための複数の歯間ブラシを収容した歯間ブラシ収納パッケージに関する。
【背景技術】
【０００２】
一般に、歯間ブラシは、ブラシ部の基端部を合成樹脂製の柄部に固定保持させた構造のものが多い。
【０００３】
従来の歯間ブラシとして、歯間ブラシの基部を柄部材の先端部に取り付けるようにした技術が開示されている（例えば、特許文献１参照）。
【０００４】
また、歯間ブラシ収容パッケージとして、複数の収容凹所が並設して形成された合成樹脂製のパックを用意し、そのパックにおける各収容凹所に複数個の歯間ブラシをそれぞれ収容し、その状態で封止してパッケージを構成したものが知られている。
【特許文献１】特開平９−４７３２２号公報
【発明の開示】
【発明が解決しようとする課題】
【０００５】
ところで、歯間ブラシを洗面所などで使用する場合、使用中の歯間ブラシが汚れないように、その洗面台上などに一時保管できれば便利であるが、従来の歯間ブラシでは、歯間ブラシの柄部材などがあっても、洗面所などに保持して置けるようになっていないので、そのまま洗面台などに置くと、歯間ブラシが床に転げ落ちたりするおそれがあり、それを回避するには、別途、専用の保管ケースが必要となる。
【０００６】
また、従来の歯間ブラシ収容パッケージは、複数の歯間ブラシをパックに入れて封止した構成であるから、メーカーで複数の歯間ブラシを１つずつパック入れなければならず、その作業に手間ががかる。
【０００７】
また、歯間ブラシ収容パッケージを購入したユーザーが、該パッケージを開封して一つの歯間ブラシを取り出す際に、うっかり多数の歯間ブラシをばらばらに落としてしまうおそれがある。とくに、取り出した歯間ブラシを洗面台上などに置いておくには、やはり、別途、保管ケースを用意しておかなければならず、不便である。
【０００８】
最近では、食後すぐに歯間を清掃することが推奨されているが、歯間ブラシを携帯するのに適したケースもなかった。
【０００９】
この発明は、上記実情に鑑みてなされたものであり、メーカーでの複数の歯間ブラシの詰め作業が容易になり、ケースを携帯用ケースとして用いることもできてユーザーの使い勝手も良くなる歯間ブラシ収容パッケージを提供することを課題としている。
【課題を解決するための手段】
【００１０】
上記課題は、以下の手段によって解決される。
【００１１】
（１）合成樹脂からなる偏平状のケース本体ならびにこのケース本体の一端にヒンジ部を介して一体形成されて、該ケース本体の開口を開閉可能に覆う偏平状のカバーとからなるケースと、互いに並列に配された複数の歯間ブラシにおける合成樹脂製柄部を連設用フレーム片に切り離し可能に連結して構成されて、前記ケース内に収容された歯間ブラシ連設成形体と、前記ケース内に形成されて、使用中の歯間ブラシを保管するためのホルダ部と、を備えていることを特徴とする歯間ブラシ収納パッケージ。
【００１２】
（２）前記歯間ブラシ連設成形体が前記ケースとは別体成形されており、前記連設用フレーム片を前記ケース本体に対して結合手段を介して取り付けることにより、歯間ブラシ連設成形体がケース本体内に固定されている前項（１）に記載の歯間ブラシ収納パッケージ。
【００１３】
（３）前記歯間ブラシ連設成形体における連設用フレーム片が前記ケース本体に対してヒンジ部を介して一体形成されており、前記歯間ブラシ連設成形体は、前記ヒンジ部を折り曲げた状態で、前記ケース本体内に収容されている前項（１）に記載の歯間ブラシ収納パッケージ。
【発明の効果】
【００１４】
前項（１）に記載の発明によれば、ケース本体の一端にヒンジ部を介してカバーを一体に連成してなるケース内に、複数の歯間ブラシを連設用フレームに一体形成してなる歯間ブラシ連設成形体を収容するようにしたから、メーカーにおいて、複数の歯間ブラシをケース内に一括的に効率良く組み込むことができる。
【００１５】
さらに、ユーザーが携帯しやすいことはもとより、前記ケースを開封した際に、うっかり複数の歯間ブラシをばらばらにして散乱させるおそれが回避できるうえ、歯間ブラシ連設成形体を収容したままで、１つの歯間ブラシを連設フレーム片から切り離して使用できる。
【００１６】
しかも、複数の歯間ブラシが整列状態でケースに収納されているので、携帯時にブラシ部損傷のおそれもない。
【００１７】
さらに、前記ケース本体に歯間ブラシのホルダ部が形成されているから、このケースを洗面所などに置いておけば、別途、保管ケースを用意しなくても、使用中の歯間ブラシを前記ホルダ部に保管でき、もって衛生的に再使用することができる。
【００１８】
前項（２）に記載の発明によれば、歯間ブラシ連設成形体を結合手段を介して簡単にケース本体に取り付けることができる。
【００１９】
とくに、歯間ブラシ連設成形体がケース本体に対して別体構成であるから、例えば寸法や形状の異なる別種の歯間ブラシ連設成形体を用意しておけば、要望に応じて種類の異なる歯間ブラシ連設成形体を直ぐにケースに収容して出荷することができる。
【００２０】
前項（３）に記載の発明によれば、歯間ブラシ連設成形体における連設用フレーム片が前記ケース本体に対してヒンジ部を介して一体形成されているから、歯間ブラシの収容が一層容易になる他に、歯間ブラシ連設成形体とケースの成形が同時に効率良く作成できる。
【発明を実施するための最良の形態】
【００２１】
以下、この発明の実施形態を図面に基づいて説明する。
【００２２】
図１〜図８は、この発明の一実施形態の歯間ブラシ収容パッケージを示すもので、図１、図２および図３は、それぞれ歯間ブラシ収納収容パッケージを開放状態で示す斜視図、平面図および断面図である。
【００２３】
図１〜図３において、この歯間ブラシ収容パッケージは、ケース１と、歯間ブラシ連設成形体２と、使用中の歯間ブラシ５を収容するホルダ部３と、歯間ブラシ連設成形体２の結合部４とを備えている。
【００２４】
前記ケース１は、縦長矩形の偏平なケース本体１１と、このケース本体１１を開閉可能に覆う縦長矩形の偏平なカバー１２とからなり、これらケース本体１１およびカバー１２は、合成樹脂で成形されている。
【００２５】
前記ケース本体１１の幅方向（左右方向）の一端側、例えば右端縁と前記カバー１２の幅方向の他端側である左端縁との間は、曲げ変形可能な薄肉状のヒンジ部１３を介して一体に連成されており、このヒンジ部１３の展開、屈曲により、カバー１２をケース本体１１に対して開閉できるようになっている。
【００２６】
また、前記ケース本体１１の幅方向の他端側、つまり、左端縁には、周壁の一部を内側へ凹入した係合用凹部１１ｂが形成されており、この係合用凹部１１ｂには、カバー１２の右端縁中央に一体形成された係合突片１５が該カバー１２を閉じた際に係脱可能に係合される係合部１４が形成されている。
【００２７】
前記ケース本体１１の開口端部には、カバー１２が閉じられた際に、該カバー１２における開口端部に形成されている嵌合段部１２ａに嵌合される嵌合周壁部１１ａが一体形成されており、カバー１２がケース本体１１に密に嵌合するようになっている。
【００２８】
また、前記ケース１１の内面には、収容時の歯間ブラシ連設成形体２を下方から支持するために、該ケース本体１１の長手方向へ沿って平行に延びる第１および第２の支持リブ１６，１７と、これら支持リブ１６，１７よりも低寸の補強リブ１８とが形成されている。これらの支持リブ１６，１７や補強リブ１８は、適宜、増減できるものである。
【００２９】
さらに、ケース本体１１の内面には、前記支持リブ１６，１７と直交する補強リブ１９，２０が適所に設けられている。
【００３０】
他方、前記カバー１２の内面には、前記ケース本体１１側の支持リブ１６，１７および補強リブ１８に対応して、収容時の歯間ブラシ連設成形体２を上方から軽く押さえるための第１および第２の押えリブ２１，２２と、これら押さえリブ２１，２２よりも低寸の補強リブ２３が形成されている。これらの押さえリブ２１，２２および補強リブ２３も、適宜、増減できるものである。
【００３１】
なお、カバー１２の内面には、前記押さえリブ２１，２２と直交する補強リブ２４，２５が適所に設けられている。
【００３２】
前記歯間ブラシ連設成形体２は、前記ケース１の長手方向へ沿って互いに並設された複数の歯間ブラシ５・・・と、複数の歯間ブラシ５・・・の各基端側を一体に保持する連設用フレーム片６とを備えている。
【００３３】
前記歯間ブラシ５は、例えばブラシ部５１と、このブラシ部５１の基端側を保持する合成樹脂製の柄部５２とからなる。
【００３４】
前記ブラシ部５１は、例えば細いワイヤを捻ったものをフィラメント束にして形成されたものである。また、柄部５２の形状は任意であるが、この実施形態では、偏平状に形成されており、ケース１の厚み寸法の小寸化に寄与している。
【００３５】
前記歯間ブラシ連設成形体２を成形するには、複数のブラシ５１・・・を、例えば射出成形金型（図示省略）の所定部位に並列に設置し、射出成形によって合成樹脂製の柄部５２が形成される。この時、前記ブラシ部５１の基端側が柄部５２にモールドされて、歯間ブラシ５が形成されるとともに、前記射出成形時に金型のランナーへの注入樹脂により前記連設用フレーム片６が一体に形成される。
【００３６】
前記各歯間ブラシ５は、この連設用フレーム片６に対して、図８に示すように、切り離し片７を介して連成されており、連設用フレーム片６に対して折り曲げ操作を行うことにより、切り離し可能となっている。
【００３７】
前記ホルダ部３は、使用途中の歯間ブラシ５を伏臥姿勢で収容して保管するためのものであり、歯間ブラシ５のブラシ部５１を収容可能な幅狭部３１と、柄部５２が収容可能な幅広部３２とからなり、前記ケース本体１１の縦方向の一端部に設けられている。
【００３８】
前記歯間ブラシ連設成形体２の結合部４は、前記連設用フレーム片６の右側面と前記ケース本体１１の左側面との間に連成された薄肉の一対のヒンジ部４１，４１から構成されている。つまり、前記歯間ブラシ連設成形体２を前記ヒンジ部４１，４１を中心にして図１の右方へ回動操作して反転させれば、該歯間ブラシ連設成形体２が前記ケース本体１１内に収容保持されるようになっている。
【００３９】
つぎに、上記構成の歯ブラシ収容パッケージの歯間ブラシ収容手順を説明する。
【００４０】
前記歯間ブラシ連設成形体２を、図１〜図３の開放状態から前記ヒンジ部４１，４１の部位で折り曲げながら、ケース本体１１側（右側）へ回動操作して反転させれば、該歯間ブラシ連設成形体２が図４および図５に示すように、前記ケース本体１１内に収容される。この時、歯間ブラシ連設成形体２は、歯間ブラシ５の柄部５２が第１および第２の支持リブ１６，１７に支持される。
【００４１】
このように、歯間ブラシ連設成形体２をヒンジ部４１，４１の部位でケース本体１１側に回動するだけで、該ケース本体１１内に収容されるから、複数の歯間ブラシ５を一個ずつケース本体１１内に収容するものと違って、複数の歯間ブラシ５・・・を一括に手早く収容することができ、収容作業の効率化を図ることができる。
【００４２】
そして、図４および図５に示す状態から、前記カバー１２をヒンジ部１３で折り曲げるようにケース本体１１側（左側）へ回動操作して反転させれば、このカバー１２を図６および図７に示すように、ケース本体１１に対して閉じることができる。この時、カバー１２における係合突片１５が前記ケース本体１１側の係合部１４に係脱可能に係止されるから、カバ１２ーが不用意に開放されることはない。
【００４３】
このカバー１２を閉じた際に、該カバー１２側の第１および第２の押えリブ２１，２２により、前記ケース本体１１内の歯間ブラシ成形体２が上方から第１および第２の支持リブ１６，１７に対して押圧される。つまり、歯間ブラシ連設成形体２が第１および第２の押えリブ２１，２２と第１および第２の支持リブ１６，１７との間で挟持されるから、収容状態がしっかりと安定したものとなる。従って、歯間ブラシ連設成形体２が輸送時などにがたつくおそれがなくなり、製品を保護することができる。
【００４４】
また、この歯間ブラシパケージを入手したユーザーが歯間ブラシ５を使用する際には、上述した収容作業とは逆の開封作業を行えばよい。
【００４５】
つまり、まず、前記係合突片１５と係合部１４との係合を解除して、カバー１２を開放操作する。
【００４６】
この時、歯間ブラシ連設成形体２の連設フレーム片６がヒンジ部４１，４１を介してケース本体１１に結合されているから、複数の歯間ブラシ５・・・がばらばらに収容されている場合と違って、開封時に不用意に歯間ブラシ５・・・を洗面所などで落としたり、散乱させてしまったりするおそれもなくなる。
【００４７】
そして、カバー１２が図４および図５に示すように開放された状態（あるいは、図１〜図３に示すようにケース１内から歯間ブラシ連設成形体２が開放された状態にしてもよい）から、一つの歯間ブラシ５を連設用フレーム片６から切り離す。これは、前記連設用フレーム片６に対して歯間ブラシ５の切り離し片７を折り曲げる操作を２、３回繰り返すことにより、図８に示すように、歯間ブラシ５を連設用フレーム片６から簡単に切り離することができる。
【００４８】
なお、第１および第２の支持リブ１６，１７により、歯間ブラシ５とケース本体１１の内面との間に図５に示すような空間Ｓが存在することになるから、該歯間ブラシ５とケース本体１１の内面との間に指を入れやすくなり、歯間ブラシ５の切り離し操作が容易に行える利点がある。
【００４９】
また、歯間ブラシ５の使用中のものを一時保管したい場合には、図６に示すように、前記ケース本体１１側のホルダ部３に収容して保管することができ、例えば洗面所などに別途、保管ケースを用意する必要もない。つまり、このパッケージを保管ケースとしても使えることができ、携帯にも便利である。
【００５０】
図９〜図１３は、前記歯間ブラシ連設成形体２とケース本体１１との結合手段の変形例を示すものである。結合手段の変形例を示すものであるので、結合手段を除く部位については、図１〜図８に示す部位と同じ部位は同符号を用いるものとする。
【００５１】
図９および図１０において、前記連設用フレーム片６の上面には、ケース１の長手方向へ沿って所定間隔をおいて配置された複数（３個）のピン６１・・・が一体形成されており、他方、ケース本体１１側における第１の支持リブ１６には、前記複数のピン６１・・・に圧入されるピン圧入孔６２を持った複数のボス６３・・・が一体形成されている。
【００５２】
前記複数のピン６１とピン圧入孔６２とにより、前記歯間ブラシ連設成形体２のケース本体１１に対する結合手段が構成されている。
【００５３】
この場合、前記歯間ブラシ連設成形体２を反転姿勢にしてから、前記ピン６１を前記ピン圧入孔６２にそれぞれ圧入すれば、図１１および図１２に示すように、歯間ブラシ連設成形体２をケース本体１１に結合して簡単に収容することができる。
【００５４】
この状態から、前記カバー１２を図１３に示すように閉じることにより、歯間ブラシ連設成形体２をケース１内に適正に収容することができる。
【００５５】
この場合は、歯間ブラシ連設成形体２が、ケース１とは別体に成形される構成であるから、例えば大きさや形状などが異なる別種の歯間ブラシ連設成形体２を予め用意しておけば、例えば市場からの要求に応じた種類の歯間ブラシ連設成形体２を選んで直ぐにケース１に組み込むことができる。
【００５６】
また、ユーザーが歯間ブラシ５を使う場合、前記ピン６１を前記ピン圧入孔６２から引き抜いて、歯間ブラシ連設成形体２をケース１から外した状態にすれば、ケース１が邪魔にならずに、一つの歯間ブラシ５を連設用フレーム片６から切り離すことができ、切り離し作業が行いやすい。
【００５７】
さらに、歯間ブラシ連設成形体２の歯間ブラシを使い切った場合、連設用フレーム片６が、ケース１に残ることになるが、ケース１に残った連設用フレーム片６を取り外し、新たな歯間ブラシ連設成形体２を取り付けることにより、ケース１の有効利用することができる。
【００５８】
なお、前記歯間ブラシ連設成形体２のケース１への結合手段としては、前記ピン６１とピン圧入孔６２を設ける代わりに、例えば、図１４〜図１６に示すように、歯間ブラシ連設成形体２における連設用フレーム片６の上面に、複数（例えば２個）の係合突片部７１，７１を一体形成する一方、ケース本体１１の左側壁内面に係合突片部７１，７１の挿入によって係合する複数（２個）の係合孔部７２，７２を形成する構成なども可能である。
【００５９】
これら係合突片部７１，７１と係合孔部７２，７２とにより、前記結合部４が構成されることになる。
【００６０】
この例においても、前記歯間ブラシ連設成形体２を反転してから前記係合突片部７１，７１を係合孔部６７，７２に挿入して係合させるだけで、前記歯間ブラシ連設成形体２をケース本体１１に簡単に組み付けることができる。この状態から、図１６に示すように、前記カバー１２を閉じれば、パッケージが作成される。
【００６１】
図１７〜図１９は、前記歯間ブラシ連設成形体２とケース本体１１との結合手段のさらに別の変形例を示すものである。結合手段の変形例を示すものであるので、結合手段を除く部位については、図１〜図８に示す部位と同じ部位は同符号を用いるものとする。
【００６２】
図１７〜図１９において、カバー１２がケース本体１１の長手方向の一端側にヒンジ部１３を介して一体形成されている。
【００６３】
また、一対の歯間ブラシ連設成形体２，２を有しており、一方の歯間ブラシ連設成形体２の連設用フレーム片６をヒンジ部４１，４１を介してケース本体１１の幅方向の左端縁に一体に連成してあり、他方の歯間ブラシ連設成形体２の連設用フレーム片６をヒンジ部４１，４１を介してケース本体１１の幅方向の右端縁に一体に連成してある。
【００６４】
そして、左側の歯間ブラシ連設成形体２を、ヒンジ部４１，４１で折り曲げることにより図１８に示すように、ケース本体１１に収容し、ついで、同様に右側の歯間ブラシ連設成形体２を、ヒンジ部４１，４１で折り曲げることにより図１８に示すように、ケース本体１１内に収容する。
【００６５】
この時、左側の歯間ブラシ連設成形体２の複数の歯間ブラシ５・・・の相互の間に、右側の歯間ブラシ連設成形体２の複数の歯間ブラシ５・・・が位置するように設定しておけば、収容スペースの無駄が排除される。勿論、両歯間ブラシ連設成形体２，２が完全に重なるように収容してもよい。
【００６６】
図１８の状態からカバー１２を、図１９に示すように閉じれば、ケース１内に一対の歯間ブラシ連設成形体２，２を２段で密に収容するこができる。
【００６７】
この場合は、複数の歯間ブラシ５の収容量を簡単に増やすことができる。
【図面の簡単な説明】
【００６８】
【図１】この発明の実施形態に係る歯間ブラシ収容パッケージを開放状態で示す斜視図である。
【図２】同じく歯間ブラシ収容パッケージを開放状態で示す平面図である。
【図３】図２のＡ−Ａ線断面図である。
【図４】歯間ブラシ連設成形体をケース本体に組み込んだ状態を示す平面図である。
【図５】図４のＢ−Ｂ線断面図である。
【図６】ケース本体をカバーで閉じた状態を示す一部破断平面図である。
【図７】図６のＣ−Ｃ線断面図である。
【図８】歯間ブラシの切り離し状態の説明図である。
【図９】歯間ブラシ連設成形体とをケース本体との結合手段の変形例を示す斜視図である。
【図１０】歯間ブラシ連設成形体とケース本体との結合構造を示す断面図である。
【図１１】歯間ブラシ連設成形体をケース本体に結合した状態を示す平面図である。
【図１２】図１１のＤ−Ｄ線断面図である。
【図１３】ケース本体をカバーで閉じた状態を示す断面図である。
【図１４】歯間ブラシ連設成形体とケース本体との結合手段の変形例を示す斜視図である。
【図１５】歯間ブラシ連設成形体とケース本体との結合構造を示す断面図である。
【図１６】ケース本体をカバーで閉じた状態を示す断面図である。
【図１７】この発明の別の変形例を歯間ブラシ収容パッケージの開放状態で示す平面図である。
【図１８】一対の歯間ブラシ連設成形体をケース内に重ねて収容した状態を示す平面図である。
【図１９】ケース本体をカバーで閉じた状態を示す断面図である。
【符号の説明】
【００６９】
１…ケース
２…歯間ブラシ連設成形体
３…使用中の歯間ブラシのホルダ部
４…歯間ブラシ連設成形体の結合手段
５…歯間ブラシ
６…連設用フレーム片
１１…ケース本体
１２…カバー
１３…ヒンジ部
５１…歯間ブラシのブラシ部
５２…歯間ブラシの柄部
【図１】
2007209567.tif 000003
【図２】
2007209567.tif 000004
【図３】
2007209567.tif 000005
【図４】
2007209567.tif 000006
【図５】
2007209567.tif 000007
【図６】
2007209567.tif 000008
【図７】
2007209567.tif 000009
【図８】
2007209567.tif 000010
【図９】
2007209567.tif 000011
【図１０】
2007209567.tif 000012
【図１１】
2007209567.tif 000013
【図１２】
2007209567.tif 000014
【図１３】
2007209567.tif 000015
【図１４】
2007209567.tif 000016
【図１５】
2007209567.tif 000017
【図１６】
2007209567.tif 000018
【図１７】
2007209567.tif 000019
【図１８】
2007209567.tif 000020
【図１９】
2007209567.tif 000021